(57)【要約】【課題】自宅や療養先、病院、温泉施設、スポーツクラブなどで誰でも経済的に実施できる健康増進法に使用する入浴装置を提供する。【解決手段】浴槽２の内壁面の下部にタッチセンサー３が取り付けられており、タッチセンサー３によってカウントされた歩数が液晶表示パネル７に表示される。換算テーブルに基づいて歩数から消費カロリーが算出され、液晶表示パネル７に表示される。換算テーブルは、風呂温度をパラメーターとして作成されている。これにより、入浴者は、タッチセンサー３を両足で交互に踏むだけで、歩数と消費カロリーを知ることができ、健康増進につながる。風呂温度が消費カロリーに及ぼす影響が加味されるので、風呂温度の高低にかかわらず適切な消費カロリーが表示される。【選択図】図１
2006346419.tif 000002
【特許請求の範囲】
【請求項１】
浴槽に取り付けられるタッチセンサーと、
このタッチセンサーによってカウントされた歩数を表示する歩数表示手段と
が設けられていることを特徴とする歩数計。
【請求項２】
前記タッチセンサーによってカウントされた歩数から消費カロリーを算出するカロリー演算手段と、
このカロリー演算手段によって算出された消費カロリーを表示するカロリー表示手段と
が設けられていることを特徴とする請求項１に記載の歩数計。
【請求項３】
歩数と消費カロリーとの関係を表す換算テーブルが格納されたテーブル記憶手段を具備し、
前記カロリー演算手段は、前記テーブル記憶手段に格納された換算テーブルに基づいて消費カロリーを算出することを特徴とする請求項２に記載の歩数計。
【請求項４】
前記換算テーブルは、風呂温度をパラメーターとして作成されていることを特徴とする請求項３に記載の歩数計。
【請求項５】
前記換算テーブルは、水圧をパラメーターとして作成されていることを特徴とする請求項３または４に記載の歩数計。
【請求項６】
請求項１乃至５のいずれかに記載の歩数計が組み込まれていることを特徴とする入浴装置。
【請求項７】
フットボードに取り付けられるタッチセンサーと、
このタッチセンサーによってカウントされた歩数を表示する歩数表示手段と
が設けられていることを特徴とする歩数計。
【請求項８】
前記タッチセンサーによってカウントされた歩数から消費カロリーを算出するカロリー演算手段と、
このカロリー演算手段によって算出された消費カロリーを表示するカロリー表示手段と
が設けられていることを特徴とする請求項７に記載の歩数計。
【請求項９】
歩数と消費カロリーとの関係を表す換算テーブルが格納されたテーブル記憶手段を具備し、
前記カロリー演算手段は、前記テーブル記憶手段に格納された換算テーブルに基づいて消費カロリーを算出することを特徴とする請求項８に記載の歩数計。
【請求項１０】
請求項７乃至９のいずれかに記載の歩数計が組み込まれていることを特徴とするベッド。
【請求項１１】
座席足許に設けられるタッチセンサーと、
このタッチセンサーによってカウントされた歩数を表示する歩数表示手段と
が設けられていることを特徴とする歩数計。
【請求項１２】
前記タッチセンサーによってカウントされた歩数から消費カロリーを算出するカロリー演算手段と、
このカロリー演算手段によって算出された消費カロリーを表示するカロリー表示手段と
が設けられていることを特徴とする請求項１１に記載の歩数計。
【請求項１３】
歩数と消費カロリーとの関係を表す換算テーブルが格納されたテーブル記憶手段を具備し、
前記カロリー演算手段は、前記テーブル記憶手段に格納された換算テーブルに基づいて消費カロリーを算出することを特徴とする請求項１２に記載の歩数計。
【請求項１４】
前記タッチセンサーによってカウントされた歩数をリセットする初期化機能を備えていることを特徴とする請求項１１乃至１３のいずれかに記載の歩数計。
【請求項１５】
前記タッチセンサーは、距離・角度調整機能を備えていることを特徴とする請求項１１乃至１４のいずれかに記載の歩数計。
【請求項１６】
前記タッチセンサーによってカウントされた歩数に応じて達成度を表示する達成度表示手段を備えていることを特徴とする請求項１１乃至１５のいずれかに記載の歩数計。
【請求項１７】
請求項１１乃至１６のいずれかに記載の歩数計が組み込まれていることを特徴とする座席。
【発明の詳細な説明】
【技術分野】
【０００１】
本発明は、高齢者、身体障害者などの被介助者のみならず健常者も健康管理を目的として用いるに好適な、歩数計、入浴装置、ベッド、座席に関するものである。
【背景技術】
【０００２】
近年、高齢化社会に向かう流れの中で、高齢者は自ら健康維持に務めることが重要である。また、身体障害者は、その身体能力を回復させるリハビリ（社会復帰）のために、足腰を鍛えて強化することが推奨されている。さらに、若い女性を中心に痩身願望が強く、ダイエット効果に優れた痩身術が求められている。
【０００３】
一方、風呂場は第２のリビングとも称されており、心身ともにリラックスし、癒しの時間を得るスペースとして風呂場を利用する人が増える傾向にある。
【０００４】
このような事情から、個人の健康に関する関心が強まっており、入浴による健康増進法が提案されている。例えば、ジェットバスやジャグジーなどによる気泡浴、アロマ湯などによる美容浴、水風呂・サウナ・打たせ湯・砂湯・足湯などによる温泉浴を挙げることができる。
【発明の開示】
【発明が解決しようとする課題】
【０００５】
しかし、これらの健康増進法では、莫大なコストをかけて大規模な施設を構築・維持しなければならず、当然その施設の入会金や利用料も高騰する結果となる。そのため、自宅や療養先、病院、温泉施設、スポーツクラブなどで誰でも経済的に実施できる健康増進法が社会的に強く要望されている。
【０００６】
本発明は、こうした要望に応えることが可能な、歩数計、入浴装置、ベッド、座席を提供することを目的とする。
【課題を解決するための手段】
【０００７】
まず、請求項１に係る歩数計の発明は、浴槽に取り付けられるタッチセンサーと、このタッチセンサーによってカウントされた歩数を表示する歩数表示手段とが設けられていることを特徴とする。
また、請求項２に係る歩数計の発明は、前記タッチセンサーによってカウントされた歩数から消費カロリーを算出するカロリー演算手段と、このカロリー演算手段によって算出された消費カロリーを表示するカロリー表示手段とが設けられていることを特徴とする。
また、請求項３に係る歩数計の発明は、歩数と消費カロリーとの関係を表す換算テーブルが格納されたテーブル記憶手段を具備し、前記カロリー演算手段は、前記テーブル記憶手段に格納された換算テーブルに基づいて消費カロリーを算出することを特徴とする。
また、請求項４に係る歩数計の発明は、前記換算テーブルは、風呂温度をパラメーターとして作成されていることを特徴とする。
また、請求項５に係る歩数計の発明は、前記換算テーブルは、水圧をパラメーターとして作成されていることを特徴とする。
また、請求項６に係る入浴装置の発明は、請求項１乃至５のいずれかに記載の歩数計が組み込まれていることを特徴とする。
また、請求項７に係る歩数計の発明は、フットボードに取り付けられるタッチセンサーと、このタッチセンサーによってカウントされた歩数を表示する歩数表示手段とが設けられていることを特徴とする。
また、請求項８に係る歩数計の発明は、前記タッチセンサーによってカウントされた歩数から消費カロリーを算出するカロリー演算手段と、このカロリー演算手段によって算出された消費カロリーを表示するカロリー表示手段とが設けられていることを特徴とする。
また、請求項９に係る歩数計の発明は、歩数と消費カロリーとの関係を表す換算テーブルが格納されたテーブル記憶手段を具備し、前記カロリー演算手段は、前記テーブル記憶手段に格納された換算テーブルに基づいて消費カロリーを算出することを特徴とする。
また、請求項１０に係るベッドの発明は、請求項７乃至９のいずれかに記載の歩数計が組み込まれていることを特徴とする。
また、請求項１１に係る歩数計の発明は、座席足許に設けられるタッチセンサーと、このタッチセンサーによってカウントされた歩数を表示する歩数表示手段とが設けられていることを特徴とする。
また、請求項１２に係る歩数計の発明は、前記タッチセンサーによってカウントされた歩数から消費カロリーを算出するカロリー演算手段と、このカロリー演算手段によって算出された消費カロリーを表示するカロリー表示手段とが設けられていることを特徴とする。
また、請求項１３に係る歩数計の発明は、歩数と消費カロリーとの関係を表す換算テーブルが格納されたテーブル記憶手段を具備し、前記カロリー演算手段は、前記テーブル記憶手段に格納された換算テーブルに基づいて消費カロリーを算出することを特徴とする。
また、請求項１４に係る歩数計の発明は、前記タッチセンサーによってカウントされた歩数をリセットする初期化機能を備えていることを特徴とする。
また、請求項１５に係る歩数計の発明は、前記タッチセンサーは、距離・角度調整機能を備えていることを特徴とする。
また、請求項１６に係る歩数計の発明は、前記タッチセンサーによってカウントされた歩数に応じて達成度を表示する達成度表示手段を備えていることを特徴とする。
また、請求項１７に係る座席の発明は、請求項１１乃至１６のいずれかに記載の歩数計が組み込まれていることを特徴とする。
【発明の効果】
【０００８】
本発明によれば、自宅や療養先、病院、温泉施設、スポーツクラブなどで誰でも経済的に健康増進を図ることが可能となる。その結果、高齢者や身体障害者にとっては、足腰の筋力が強化され、リハビリの一環にもなる。また、痩身願望者にとっては、ダイエット効果を促進する手助けとなる。
【発明を実施するための最良の形態】
【０００９】
以下、本発明の実施形態を図面に基づいて説明する。
【００１０】
＜第１の実施形態＞
図１は本発明に係る入浴装置の実施形態を示す模式図、図２はコントローラーの制御ブロック図、図３は換算テーブルの一例を示す図である。
【００１１】
入浴装置１には、図１に示すように、歩数計４が組み込まれており、この歩数計４は、タッチセンサー３、水温計５、コントローラー１０から構成されている。すなわち、入浴装置１は、図１に示すように、浴槽（バスタブ）２を有しており、浴槽２の内壁面の下部には、タッチセンサー３および水温計５が取り付けられている。また、浴槽２の近傍の浴室壁面には防水性の高いコントローラー１０が貼設されている。
【００１２】
このコントローラー１０は、図２に示すように、中央演算処理装置（ＣＰＵ）などの主制御部１３を内蔵しており、主制御部１３にはキーボード９、データ入力部１５、データ出力部１６、カロリー演算部１７、データ記憶部１９が接続されている。そして、データ入力部１５にはタッチセンサー３および水温計５が接続されており、データ出力部１６には液晶表示パネル７が接続されている。さらに、主制御部１３には計測開始スイッチ１１および計測終了スイッチ１２が接続されている。なお、キーボード９、液晶表示パネル７、計測開始スイッチ１１および計測終了スイッチ１２は、図１に示すように、コントローラー１０のケーシングに設けられている。
【００１３】
また、データ記憶部１９には、換算テーブルＴＢＬが読み出し自在に格納されている。この換算テーブルＴＢＬは、図３に示すように、いくつかの風呂温度（例えば、３７℃、３８℃、３９℃、４０℃）をパラメーターとして歩数と消費カロリー（エネルギー消費量）との関係を表すものであり、入浴者の年齢、体重、性別などの個人データ別にそれぞれ用意されている。例えば、「年齢２０〜２４歳、体重４０〜４５ｋｇ、女性」用の換算テーブルＴＢＬもあれば、「年齢３５〜４０歳、体重６５〜７０ｋｇ、男性」用の換算テーブルＴＢＬもある。
【００１４】
入浴装置１は以上のような構成を有するので、入浴者がダイエットや健康維持のために足踏み運動を行う際には、入浴者は、図１に示すように、浴槽２内に湯水が張られた状態で、自分の年齢、体重、性別などの個人データをキーボード９を介して入力した後、計測開始スイッチ１１を押す。すると、主制御部１３は、データ入力部１５に対してデータの取り込みを指令する。これを受けてデータ入力部１５は、水温計５によって風呂温度を取り込む。
【００１５】
次に、入浴者は、タッチセンサー３を両足で交互に踏む。すると、タッチセンサー３は、入浴者が踏んだ回数、つまり歩数を順次カウント（計数）してデータ入力部１５に出力する。
【００１６】
そして、主制御部１３は、データ出力部１６に対して歩数の表示を指令する。これを受けてデータ出力部１６は、この歩数が変わるたびに更新して液晶表示パネル７に順次「１」「２」「３」などと表示する。
【００１７】
また、主制御部１３は、カロリー演算部１７に対して消費カロリーの算出を指令する。これを受けてカロリー演算部１７は、この入浴者に適合する換算テーブルＴＢＬをデータ記憶部１９から読み出し、この換算テーブルＴＢＬに基づいて消費カロリーを算出する。例えば、この入浴者が年齢２３歳で体重４３ｋｇの女性である場合、カロリー演算部１７は、「年齢２０〜２４歳、体重４０〜４５ｋｇ、女性」用の換算テーブルＴＢＬを読み出し、先ほど取り込んだ風呂温度に対応するグラフを参照しつつ、歩数から消費カロリーを算出する。このとき、風呂温度が消費カロリーに及ぼす影響が加味されるので、風呂温度の高低にかかわらず適切な消費カロリーが算出されることになる。
【００１８】
そして、主制御部１３は、データ出力部１６に対して消費カロリーの表示を指令する。これを受けてデータ出力部１６は、この消費カロリーが変わるたびに更新して液晶表示パネル７に順次「１００cal」「１５０cal」「２００cal」などと表示する。
【００１９】
そして、足踏み運動を止める際には、入浴者は、計測終了スイッチ１２を押す。すると、主制御部１３は、データ入力部１５に対してデータの取り込み停止を指令する。これを受けてデータ入力部１５は、風呂温度の取り込み動作を停止する。また、主制御部１３は、データ出力部１６に対して歩数および消費カロリーの表示停止を指令する。これを受けてデータ出力部１６は、歩数および消費カロリーの表示動作を停止する。
【００２０】
このように、入浴者は、自宅や療養先、病院、温泉施設、スポーツクラブなどで誰でも経済的に健康増進を図ることが可能となる。その結果、高齢者や身体障害者にとっては、足腰の筋力が強化され、リハビリの一環にもなる。また、痩身願望者にとっては、ダイエット効果を促進する手助けとなる。
【００２１】
＜第２の実施形態＞
上述した第１の実施形態においては、風呂温度をパラメーターとして歩数と消費カロリーとの関係を決める場合について説明した。しかし、歩数と消費カロリーとの関係を決めるときに、水圧をパラメーターとしてもよい。それには、浴槽２の内壁面の下部に水圧計（図示せず）を取り付けるとともに、いくつかの水圧をパラメーターとして歩数と消費カロリーとの関係を表す換算テーブルＴＢＬをデータ記憶部１９に格納しておき、水圧の高低を考慮しつつ歩数から消費カロリーを算出する。この場合、水圧が消費カロリーに及ぼす影響が加味されるので、水圧の高低にかかわらず適切な消費カロリーを算出することができる。或いはまた、風呂温度と水圧の両方をパラメーターとしても構わない。この場合、風呂温度および水圧が消費カロリーに及ぼす影響が加味されるので、風呂温度や水圧の高低にかかわらず適切な消費カロリーを算出することが可能となる。
【００２２】
＜第３の実施形態＞
上述した第１の実施形態においては、入浴者が計測開始スイッチ１１を押してから計測終了スイッチ１２を押すまでの間、歩数や消費カロリーを常に更新して表示する場合について説明したが、コントローラー１０にタイマー機能を付与することにより、所定の時間（例えば、１０分間）における歩数や消費カロリーを表示させることも可能である。
【００２３】
＜第４の実施形態＞
なお、浴槽２の大きさや形状によっては、浴槽２内での足踏み運動に困難を伴う場合もある。この場合は、背もたれやハンドグリップなどの補助用具（図示せず）を用いることにより、足踏み運動を容易に行えるようにする。
【００２４】
＜第５の実施形態＞
図４は本発明に係るベッドの実施形態を示す模式図である。
【００２５】
上述した第１〜４の実施形態においては、入浴装置１に歩数計４を組み込む場合について説明したが、図４に示すように、ベッド２１に歩数計２４を組み込むこともできる。
【００２６】
すなわち、ベッド２１は、図４に示すように、ベッドステッド（ベッドフレーム）２２を有しており、ベッドステッド２２にはヘッドボード２３およびフットボード２５が立設されている。フットボード２５の内壁面にはタッチセンサー３が取り付けられている。また、ヘッドボード２３の近傍の室内壁面にはコントローラー１０が貼設されている。
【００２７】
したがって、このベッド２１での足踏み運動は、上述した入浴装置１での足踏み運動と同様の手順で行われる。その結果、自宅や療養先、病院、温泉施設、スポーツクラブなどで誰でも経済的に健康増進を図ることが可能となる。その結果、高齢者や身体障害者にとっては、足腰の筋力が強化され、リハビリの一環にもなる。また、痩身願望者にとっては、ダイエット効果を促進する手助けとなる。さらに、ベッド２１で足踏み運動を行うと、床ずれを防止する効果も奏する。
【００２８】
＜第６の実施形態＞
上述した第１〜５の実施形態においては、入浴装置１やベッド２１に歩数計４を組み込む場合について説明したが、歩数計４に代えて青竹踏み用の竹材を組み込み、この竹材を両足で踏んで足裏を刺激することにより、健康増進を図るようにしてもよい。この竹材は、本物の青竹であっても、擬似竹材であっても構わない。特に、足湯施設に青竹踏み用の竹材を組み込めば、のぼせを防ぎつつ発汗を促す効能と相俟って健康増進効果が顕著になる。
【００２９】
＜第７の実施形態＞
上述した第１〜４の実施形態においては、入浴装置１に歩数計４を組み込む場合について説明したが、図５に示すように、飛行機の座席３１に歩数計３４を組み込むこともできる。
【００３０】
すなわち、飛行機の座席３１は、図５に示すように、シート３２を有しており、シート３２の後ろ側には背もたれ３３がリクライニング自在に設けられている。また、シート３２の左右両側にはそれぞれ肘置き（アームレスト）３５が取り付けられており、片方の肘置き３５には、初期化機能を備えたコントローラー１０が格納自在に設けられている。さらに、シート３２の前側にはレッグレスト３６が振り上げ自在に取り付けられており、レッグレスト３６の先端にはタッチセンサー３が取り付けられている。ここで、レッグレスト３６は、長さを所定範囲内（例えば、４０〜６０ｃｍの間）で増減させることができるとともに、振り上げ角度を所定範囲内（例えば、０〜１００°の間）で増減させることができる。そのため、タッチセンサー３は、距離・角度調整機能を備えており、シート３２からの距離およびシート３２に対する角度を任意に調整可能となっている。
【００３１】
したがって、この座席３１での足踏み運動は、上述した入浴装置１での足踏み運動と同様の手順で行われる。その結果、座席３１の乗客がエコノミークラス症候群（ロングフライト血栓症）を発症する事態を予防することができる。また、タッチセンサー３は、上述したとおり、距離・角度調整機能を備えているので、乗客は自分の足の長さや体型に応じて足踏み運動を行うことができる。しかも、コントローラー１０は初期化機能を備えているため、タッチセンサー３がカウントした歩数を随時リセットすることができる。そのため、歩数計３４は、座席３１の乗客が入れ替わっても、すぐに使用可能な状態となり、使い勝手に優れる。
【００３２】
＜第８の実施形態＞
なお、タッチセンサー３がカウントした歩数に応じて液晶表示パネル７にゲーム感覚で達成度を表示させることにより、足踏み運動中の乗客を励ますようにしてもよい。例えば、歩数が９０歩を超えると「もう少しで１００歩」と表示させたり、歩数が２００歩に達した時点で「２００歩達成！」と表示させたりすれば、長時間のフライトであろうとも、乗客は楽しみながら足踏み運動を持続することができる。
【００３３】
＜第９の実施形態＞
上述した第７、８の実施形態においては、飛行機の座席３１に歩数計３４を組み込む場合について説明したが、飛行機以外の乗り物（例えば、長距離のバス（夜行バスなど）、汽車、電車、自動車その他）の座席に本発明を同様に適用することもできる。このとき、乗り物の種類によっては、レッグレスト３６を具備していない場合が考えられるが、たとえレッグレスト３６がなくても、座席足許にタッチセンサー３を設けられれば、本発明を実施することができる。
【産業上の利用可能性】
【００３４】
本発明は、一般家庭のほか、スポーツクラブ、フィットネスクラブ、旅館、ホテル、ゴルフ場、健康ランド、エステティックサロン、銭湯、スーパー銭湯、サウナ、大使館、厚生施設、福祉施設、病院、医院、ペット施設、学校、会社、寮など各種の施設で広範に利用することができる。
【００３５】
また、本発明は、飛行機のほか、長距離のバス（夜行バスなど）、汽車、電車、自動車その他の乗り物に広く適用することができる。
【図面の簡単な説明】
【００３６】
【図１】本発明に係る入浴装置の実施形態を示す模式図である。
【図２】コントローラーの制御ブロック図である。
【図３】換算テーブルの一例を示す図である。
【図４】本発明に係るベッドの実施形態を示す模式図である。
【図５】本発明に係る座席の実施形態を示す模式図である。
【符号の説明】
【００３７】
１……入浴装置
２……浴槽
３……タッチセンサー
４、２４、３４……歩数計
７……液晶表示パネル（歩数表示手段、カロリー表示手段、達成度表示手段）
１０……コントローラー
１７……カロリー演算部（カロリー演算手段）
１９……データ記憶部（テーブル記憶手段）
２１……ベッド
２２……ベッドステッド
２３……ヘッドボード
２５……フットボード
３１……座席
３２……シート
３３……背もたれ
３５……肘置き
３６……レッグレスト
ＴＢＬ……換算テーブル
【図１】
2006346419.tif 000003
【図２】
2006346419.tif 000004
【図３】
2006346419.tif 000005
【図４】
2006346419.tif 000006
【図５】
2006346419.tif 000007